(57)【要約】【課題】保守前後の金庫が同一であるか否かを判定することにより、警備員の立ち会いがなくても保守作業を可能とする現金取扱機を提供する。【解決手段】貨幣を収納する金庫７０を有する現金取扱機１において、貨幣を運搬するエレベータ７１と、エレベータ７１の停止位置を検知するセンサ７３と、センサ７３により検知されたエレベータ７１の停止位置を記憶する記憶部８２と、記憶部８２に記憶された、金庫７０が現金取扱機１から取り出される前のエレベータ７１の停止位置と、取り出された金庫７０が現金取扱機１へ戻された後のエレベータ７１の停止位置とを比較して、比較結果が一致した場合、金庫７０が現金取扱機１から取り出される前と取り出された金庫７０が現金取扱機１へ戻された後との金庫７０は同一であると判定する金庫判定部８２とを有する。【選択図】図１
2009187093.tif 000002
【特許請求の範囲】
【請求項１】
貨幣を収納する金庫を有する現金取扱機において、
該貨幣を運搬するエレベータと、
該エレベータの停止位置を検知するセンサと、
該センサにより検知された該エレベータの停止位置を記憶する記憶部と、
該記憶部に記憶された、該金庫が該現金取扱機から取り出される前の該エレベータの停止位置と、取り出された該金庫が該現金取扱機へ戻された後の該エレベータの停止位置とを比較して、比較結果が一致した場合、該金庫が該現金取扱機から取り出される前と取り出された該金庫が該現金取扱機へ戻された後との該金庫は同一であると判定する金庫判定部とを有することを特徴とする現金取扱機。
【請求項２】
貨幣を収納する金庫を有する現金取扱機において、
該金庫を識別する識別情報を生成する識別情報生成部と、
該識別情報生成部により生成された該識別情報を記憶する記憶部と、
該記憶部に記憶された、該金庫が該現金取扱機から取り出される前の該識別情報と、取り出された該金庫が該現金取扱機へ戻された後の該識別情報とを比較して、比較結果が一致した場合、該金庫が該現金取扱機から取り出される前と取り出された該金庫が該現金取扱機へ戻された後との該金庫は同一であると判定する金庫判定部とを有することを特徴とする現金取扱機。
【請求項３】
該現金取扱機を保守する保守者に付与された第１の識別情報と、金融機関の管理者より取り扱われる第２の識別情報とを入力する入力部と、
該入力部より入力された該第１の識別情報と予め準備された識別情報とが所定の関係にあり、かつ、該入力部より入力された該第２の識別情報と予め準備された識別情報とが所定の関係にある場合、該金庫へアクセスして該金庫を保守する保守モードへの移行を許可する保守モード判定部とを有することを特徴とする請求項１又は２の現金取扱機。
【請求項４】
該第１の識別情報は、有効期間に係る情報を有し、
該保守モード判定部は、該第１の識別情報が有効期間以内に該入力部に入力されたか否かを判定して、判定の結果が有効期間以内でない場合、該保守モードへの移行を許可しないことを特徴とする請求項３の現金取扱機。
【発明の詳細な説明】
【技術分野】
【０００１】
本発明は、現金取扱機に係り、特に、警備員の立ち会いがなくても保守作業を可能にする現金取扱機に関する。
【背景技術】
【０００２】
貨幣が収納されている現金取扱機において、障害が発生し、その障害を復旧する際に、現金取扱機の貨幣収納部を点検する必要がある場合は、保守員は、不正防止のために警備員の立ち会いのもとで保守作業を行わなければならない。
【０００３】
また、現金取扱機の貨幣収納部にアクセスするには鍵やカードを必要とするが、これらを立ち合いの警備員が持参することにより、保守員の不正を防止しており、万一盗難が発生しても、保守員が疑われることはない。
【０００４】
現金取扱機には、収益向上を図るため、障害発生に対する対応費の低減が求められている。そこで、障害復旧時に警備員の立ち会いをなくすことにより、警備員の立ち会い費が０となり、障害対応費の低減につながるため、保守員単独での保守対応が求められている。
【０００５】
また、特許文献１には、有効期間や有効回数等の有効条件が設定されている暗証番号により本人確認された操作者のみ操作を行うことのできる現金処理機に関する技術が記載されている。
【０００６】
【特許文献１】特開２００３−２７１８１６号公報
【発明の開示】
【発明が解決しようとする課題】
【０００７】
しかしながら、保守員単独で保守を行う場合、警備員が持参する鍵や鍵に相当するカードを保守員が持参する運用とするか、鍵やカードがなくても、金庫へのアクセス（金庫部開放機能の使用）を可能とすることで、対応することになるが、保守員による不正が可能となるため、万一盗難が発生した場合、保守員が疑われてしまう問題がある。
【０００８】
本発明の目的は、保守前後の金庫が同一であるか否かを判定することにより、警備員の立ち会いがなくても保守作業を可能とする現金取扱機を提供することにある。
【課題を解決するための手段】
【０００９】
上記目的を達成するために、本発明の現金取扱機は、好ましい例では、貨幣を収納する金庫を有する現金取扱機において、該貨幣を運搬するエレベータと、該エレベータの停止位置を検知するセンサと、該センサにより検知された該エレベータの停止位置を記憶する記憶部と、該記憶部に記憶された、該金庫が該現金取扱機から取り出される前の該エレベータの停止位置と、取り出された該金庫が該現金取扱機へ戻された後の該エレベータの停止位置とを比較して、比較結果が一致した場合、該金庫が該現金取扱機から取り出される前と取り出された該金庫が該現金取扱機へ戻された後との該金庫は同一であると判定する金庫判定部とを有するように構成することができる。
【００１０】
また、好ましい例では、貨幣を収納する金庫を有する現金取扱機において、該金庫を識別する識別情報を生成する識別情報生成部と、該識別情報生成部により生成された該識別情報を記憶する記憶部と、該記憶部に記憶された、該金庫が該現金取扱機から取り出される前の該識別情報と、取り出された該金庫が該現金取扱機へ戻された後の該識別情報とを比較して、比較結果が一致した場合、該金庫が該現金取扱機から取り出される前と取り出された該金庫が該現金取扱機へ戻された後との該金庫は同一であると判定する金庫判定部とを有するように構成することができる。
【００１１】
また、好ましい例では、該現金取扱機を保守する保守者に付与された第１の識別情報と、金融機関の管理者より取り扱われる第２の識別情報とを入力する入力部と、該入力部より入力された該第１の識別情報と予め準備された識別情報とが所定の関係にあり、かつ、該入力部より入力された該第２の識別情報と予め準備された識別情報とが所定の関係にある場合、該金庫へアクセスして該金庫を保守する保守モードへの移行を許可する保守モード判定部とを有するように構成することができる。
【００１２】
また、好ましい例では、該第１の識別情報は、有効期間に係る情報を有し、該保守モード判定部は、該第１の識別情報が有効期間以内に該入力部に入力されたか否かを判定して、判定の結果が有効期間以内でない場合、該保守モードへの移行を許可しないするように構成することができる。
【発明の効果】
【００１３】
本発明によれば、保守前後の金庫が同一であるか否かを判定することにより、警備員の立ち会いがなくても保守作業を可能とする現金取扱機を提供することができる。
【発明を実施するための最良の形態】
【００１４】
次に、本発明を実施するための最良の形態を、以下の実施例に基づき図面を参照しつつ説明する。
【００１５】
図１は、本実施例による現金取扱機１の構成例を示す図である。
【００１６】
現金取扱機１は、金庫７０、制御部８０、入出力部９０及び記憶部７２ａを有する。金庫７０には、貨幣が収納され、金庫エレベータ７１、記憶部７２ｂ及びセンサ部７３を有する。金庫エレベータ７１は、昇降して貨幣を運搬する。記憶部７２ｂは、金庫７０を識別するためのＩＤ番号を記憶する。センサ部７３は、エレベータ台の停止位置を検知する。
【００１７】
入出力部９０は、キーボードまたはタッチパネルを備えており、保守暗証番号及び管理者暗証番号を入力するための入力装置であるとともに、所定の条件でアラームとして警告メッセージを出力するための出力装置である。
【００１８】
制御部８０は、現金取扱機１を統括して制御し、保守モード判定部８１、金庫判定部８２及び記憶部７２ａを有する。保守モード判定部８１は、金庫７０へのアクセスが可能となる金庫部開放機能の操作を許可して、金庫７０を保守する保守モードへの移行を許可するか否かを判定する。判定は、保守の管理のために保守センタ３から保守員２に付与される現金取扱機１を識別するための識別番号である保守暗証番号と、現金取扱機１が設置されている店舗の管理者から付与される現金取扱機１を識別する識別番号である管理者暗証番号に基づいて行われる。
【００１９】
図６に、保守暗証番号及び管理者暗証番号を説明するための図を示す。
【００２０】
まず、現金取扱機１の保守に入る前に保守員２は、保守センタ３に問合せを行う。保守センタ３には、暗証番号作成部３１を備えており、暗証番号作成部３１で作成される保守暗証番号が保守員２に付与される。保守センタ３から付与される保守暗証番号及び店舗の管理者４から付与される管理者暗証番号は、入出力部９０から入力される。入力された保守暗証番号及び管理者暗証番号が正当であると認証された場合には、保守モード判定部８１は金庫部開放機能の操作を許可する。この金庫部開放機能の操作が許可されると、現金取扱機１は、保守を行う保守モードへ移行し、保守員２は保守を行うことができる。
【００２１】
図２に、保守モードに入る処理を説明するためのフローチャートを示す。
【００２２】
現金取扱機１は、入出力部９０から入力された保守暗証番号と（Ｓ２１）、現金取扱機１で計算して求めた保守暗証番号を比較し（Ｓ２２）、不一致の場合、保守モードに入ることはできない（Ｓ３０）。ここで、保守暗証番号は、有効時間に係る情報を備えており、両者の番号が一致した場合、保守暗証番号の有効時間を確認し（Ｓ２３）、有効時間が過ぎた場合、保守モードに入ることはできない（Ｓ３０）。有効時間内の場合、保守員２は、保守モードを選択して入力し（Ｓ２４）、障害復旧作業でない場合、保守モード金庫部開放機能不可を選択する（Ｓ２９）。一方、障害復旧作業の場合（Ｓ２５）、管理者暗証番号が入力され（Ｓ２６）、現金取扱機１で保持している管理者暗証番号と比較し（Ｓ２７）、不一致の場合、保守モードに入ることはできない（Ｓ３０）。一致の場合、保守モードに移行して、金庫部開放機能が許可となり（Ｓ２８）、障害復旧作業が可能となる。
【００２３】
次に、金庫判定部８２について説明する。
【００２４】
金庫判定部８２は、保守後に設置された金庫が保守前の金庫と同一であるか否かを判定する。判定方法には、保守前後の金庫エレベータ７１の位置による判定とＩＤ番号の検査による判定との２種類があり、詳細は後述する。尚、制御部８０は、ＣＰＵを有し、保守モード判定部８１及び金庫判定部８２は、所定のプログラムがＣＰＵで実行されることによって、これらの機能を実現する。
【００２５】
図３及び図４に、金庫エレベータ７１の位置による判定により、保守後に設置された金庫が保守前の金庫と同一であるか否かの金庫判定の処理フローを説明するための図を示す。
【００２６】
現金取扱機１は、保守モードに移行すると、保守作業が開始される前に、金庫エレベータ７１を一旦、下端検知センサ７７が遮光される位置に下降させてから上端検知センサ７６が遮光される位置まで上昇させて、金庫エレベータ７１を定位置に移動させる（図４Ａ）（Ｓ３１）。
【００２７】
現金取扱機１は、金庫エレベータ７１をランダムな移動量分、下降させて（図４Ｂ）、エレベータ位置を記憶部７２ａに記憶する（Ｓ３２）。保守員２は金庫７０の保守作業を実施するため、金庫７０を開放し（Ｓ３３）、セットされている金庫７０を取り出し（Ｓ３４）、障害復旧作業を実施し（Ｓ３５）、復旧の確認のために保守用の空金庫をセットして（図４Ｃ）（Ｓ３６）、金庫７０の保守動作テストを実施する（Ｓ３７）。
次に、Ｓ３８では、保守動作テストが正常に終了した否かを判断し、正常に終了した場合、保守用の空金庫を取り出して保守前に取り出した金庫７０を元に戻す（図４Ｄ）（Ｓ４０）。保守が終了すると、現金取扱機１は、セットされている金庫エレベータ７１を下端検知センサ７７が遮光する位置まで下降させて（図４Ｅ）、金庫エレベータ７１の移動量を測定する（図４Ｆ）（Ｓ４１）。Ｓ４１で測定した移動量から算出された保守終了後のエレベータ位置と、記憶部７２ａに記憶された保守開始前のエレベータ位置とが一致するか否かを金庫判定部８２により判断する（Ｓ４２）。一致した場合、保守暗証番号を無効にして（Ｓ４３）、保守モードから運用モードに移行する（Ｓ４４）。一方、不一致の場合、現金取扱機１は、入出力部９０にアラームとして警告メッセージを表示する（Ｓ４５）。尚、金庫エレベータ７１の上端及び下端に配置された上端検知センサ７６及び下端検知センサ７７の他に複数のセンサを配置して、これらのセンサにより直接、エレベータ位置を測定することによりエレベータ位置を比較する構成としてもよい。
【００２８】
図５に、ＩＤ番号の検査による判定により、保守後に設置された金庫が保守前の金庫と同一であるか否かの金庫判定の処理フローを説明するための図を示す。
【００２９】
この判定方法は、保守の開始前に金庫７０の記憶部７２ｂに記憶させたランダムなＩＤ番号が保守後にも一致するか否かによって判定を行う。
【００３０】
まず、識別情報生成部８３は、金庫７０を識別する識別情報としてランダムな番号を生成する。金庫７０の記憶部７２ｂに、このランダム番号からなるＩＤ番号を書き込み（Ｓ５１）、保守終了時に記憶部７２ｂに記憶されたＩＤ番号を読み込んで（Ｓ５２）、金庫判定部８２は、保守開始前のＩＤ番号と読み込んだＩＤ番号とを比較し（Ｓ５３）、不一致の場合、現金取扱機１はアラームを入出力部９０へ出力する（Ｓ４５）。一方、一致の場合、保守暗証番号を無効にして（Ｓ４３）、現金取扱機１の運用モードへと移行する（Ｓ４４）。このＩＤ番号の検査による判定と、前述した金庫エレベータ７１の位置による判定とを組み合わせることで、保守後に設置された金庫が保守前の金庫と同一であるか否かの判定の確度をさらに向上させることができる。
【００３１】
以上、本実施例によれば、保守の終了時には保守開始前の金庫と同一の金庫がセットされているか否かを確認することにより不正の検出ができ、さらに、保守時以外では、暗証番号が入手不可能であり、また、保守センタの担当者と保守員が結託して不正に暗証番号を引き出したとしても、現金取扱機１の店舗の管理者による暗証番号入力が必要であることから、保守員の不正を防止でき、万一盗難が発生した場合でも、保守員が疑われることはない。従って、警備員の立ち会いを必要とせず保守が行えることから、現金取扱機１の障害対応費を低減することが可能となる。
【図面の簡単な説明】
【００３２】
【図１】本実施例による現金取扱機の構成例を示す図。
【図２】保守モードに入る処理を説明するためのフローチャート。
【図３】金庫判定の処理フローを説明するための図（その１）。
【図４】金庫判定における金庫の状態を説明するための図。
【図５】金庫判定の処理フローを説明するための図（その２）。
【図６】保守暗証番号及び管理者暗証番号を説明するための図。
【符号の説明】
【００３３】
１：現金取扱機、  ３保守センタ、  ７０：金庫、  ７１：金庫エレベータ、  ７２ａ、７２ｂ：記憶部、  ７３：センサ部、  ７５：エレベータ台、  ７６：上端検知センサ、  ７７：下端検知センサ、  ８０：制御部、  ８１：保守モード判定部、  ８２：金庫判定部、  ８３：識別情報生成部、  ９０：入出力部。
【図１】
2009187093.tif 000003
【図２】
2009187093.tif 000004
【図３】
2009187093.tif 000005
【図４】
2009187093.tif 000006
【図５】
2009187093.tif 000007
【図６】
2009187093.tif 000008